(57)【特許請求の範囲】
【請求項１】
制御手段の指示に従って搬送手段により搬送されてきた貨幣を受け取り、金種別に貨幣を収容し、貨幣を搬送手段へ送出する、固定金庫と、
制御手段の指示に従って搬送手段により搬送されてきた貨幣を受け取り、貨幣を再度繰り出し可能に収容し、貨幣を搬送手段へ送出する、取り外し可能なカセット金庫と、
制御手段の指示に従って搬送手段から搬送されてきた貨幣を受け取り収容するリジェクトボックスと、
制御手段の指示に従って貨幣が搬送されるときに、金種を鑑別する貨幣鑑別手段と、
制御手段の指示に従って貨幣を前記各部間を搬送する搬送手段と、
貨幣の搬送を制御し、存在する貨幣の種類と数とを管理する制御手段とを有する現金自動入出金装置であって、
制御手段は、
運用時に、貨幣を出金する場合またはカセット金庫から固定金庫へ補充する場合に、貨幣鑑別手段により金種不明と鑑別されたときは、その貨幣をカセット金庫に入れ、
精査時に、固定金庫から貨幣をカセット金庫へ搬送する場合、カセット金庫からカセット金庫へ搬送する場合に、貨幣鑑別手段により貨幣の金種を判別し、数をカウントし、また金種不明と鑑別されたときは、その貨幣をリジェクトボックスに入れるように制御するように構成されることを特徴とする現金自動入出金装置。
【発明の詳細な説明】
【０００１】
【発明の属する技術分野】
本発明は銀行等の金融機関において使用される現金自動入出金装置（以下ＡＴＭと記す）に関する。
【０００２】
金融機関において、ＡＴＭの精査業務における業務のスピードアップと貨幣の運用効率を上げることが要求されている。
【０００３】
【従来の技術】
図１は現金自動入出金装置（ＡＴＭ装置）の構成概念図である。この図で貨幣の搬送を中心にＡＴＭの動作概要を説明する。
【０００４】
ＡＴＭ装置は、現金を金種別に収容しておく固定金庫（Ｆスタッカ1aとＲスタッカ1b）、外部から現金を装填または回収するためのカセット金庫（Ａカセット2aとＢカセット2b）、金種不明の貨幣を収容するリジェクトボックス３、金種を鑑別する鑑別器４、貨幣を搬送する搬送路5a,5b 、入出金口7 、入出金プール部６等よりなり、図示してないが、マイクロプロセサとメモリ、制御ソフトウェアよりなる制御部により制御される。
【０００５】
はじめに、ＡＴＭに貨幣を詰めたカセット金庫が装着され、カセット金庫（Ａ／Ｂカセット）から貨幣を繰り出し、金種を判別して金種別の固定金庫（本例では万券金庫Ｆと千券金庫Ｒとする）へ貨幣が充填されることにより、ＡＴＭに装填された貨幣の金種ごとの枚数が把握される。
【０００６】
すなわち、制御部は、装着されたＡカセット2aまたはＢカセット2bから搬送路5b、鑑別器４を通し、判別された金種によりＦスタッカ1a、Ｒスタッカ1bのどちらかに収容させる。各金種ごとの枚数をそれに応じてカウントアップする。（図１の▲１▼ルート）。金種を判別できなかった場合はリジェクトボックス３に収容させる。はじめのカセット金庫内の貨幣の金種は混在していてもよいし、枚数も明確になっていなくてもよい。
【０００７】
運用が開始され、入金または出金処理が行われる。
入金の場合は、入出金口７から入れられた貨幣は鑑別器４で鑑別され、鑑別された貨幣は一旦プール部６に置かれる。この段階で不良貨幣は投入口に戻される等の処理を受ける。すべて入金されると、金種別の貨幣が最終的に各固定金庫に収納される。
【０００８】
すなわち、制御部は、プール部６から繰り出して鑑別器４で鑑別された結果によりＦスタッカ1a、Ｒスタッカ1bのどちらかに収容させる（図１の▲３▼のルート）。各金種ごとの枚数をそれに応じてカウントアップする。
【０００９】
出金時は各固定金庫から必要な枚数が繰り出され、鑑別器４で鑑別され、鑑別された貨幣は入出金口７から出される。
すなわち、制御部は、必要な金種の固定金庫（Ｆスタッカ1a、Ｒスタッカ1bのどちらか）から繰り出して鑑別器４で正常と鑑別された場合に出金し、各金種ごとの枚数をカウントダウンする（図１の▲２▼のルート）。金種を判別できなかった場合はリジェクトボックス３に収容させる。
【００１０】
これらの貨幣の搬送時には常に鑑別が行なわれるが、すべての貨幣が正しく鑑別されれば装置内の枚数カウントと実枚数は一致する。しかし、貨幣を繰り出す時に斜めに搬送されたり、２枚以上の貨幣が重なって搬送されると鑑別が正しく行われずにその貨幣は金種不明となる。また汚れや破損のひどい札、まれには贋札などの場合も入金時に正常と判定されてもその後、 金種不明となりうる。金種不明となった貨幣はリジェクトボックス３に収容される。こうして、各金種ごとの枚数カウントの値と、実枚数との間にずれが生じる。
【００１１】
運用を開始してから取引が続き、ＡＴＭ内の貨幣量は増減する。必要があればカセット金庫も補助として使用する。固定金庫が満杯になればカセット金庫に入れ、固定金庫が空になればカセット金庫から補充して使う。通常、出金取引のほうが多いため各固定金庫の貨幣が減少し、これを補うため適宜カセット金庫から各固定金庫へ補充を行う。このとき一枚ずつ貨幣を繰り出し鑑別して補充するが金種不明貨幣が発生すると同様のずれが生じる。ただし、上記のような金種不明貨幣の発生する確率は１０００枚の貨幣を搬送して２〜３枚程度のものである。よって、発生するずれは大きくはないことから、ＡＴＭ内の貨幣枚数をだいたいは把握して運用できる。このようにして、ＡＴＭの貨幣が取引に耐えうる間運用が継続される。
【００１２】
そして定期的または随時に精査業務を行って、ずれ分を確定する。
ＡＴＭの精査業務とは、ＡＴＭ内の現金の有高を確認し、必要なら現金の補充や回収を行うことである。以下に精査業務の手順の概要を示す。
【００１３】
まずは、ＡＴＭにセットされているカセット金庫内の貨幣を１枚ずつ繰り出し、貨幣の金種を判別し、数をカウントし、またカセット金庫に収納する。
すなわち、制御部は（必要ならば、装着された２つのカセット金庫のどちらかに貨幣を移しておき）Ａカセット2a（またはＢカセット2b）から搬送路5b、鑑別器４を通し、判別された結果により各金種ごとの枚数をカウントする。そしてＢカセット2b（またはＡカセット2a）に収容させる。（図１の▲４▼ルート）。これによりカセット金庫内の貨幣の種類と数とを確定（精査）できる。
【００１４】
次に精査の完了したカセット金庫を取り出し、空のカセット金庫を装着して、ＡＴＭの入出金に使用される金種別固定金庫1a、1b （以下固定金庫）から貨幣を１枚ずつ繰り出し、同様に貨幣の金種を判別し、数をカウントし、セットされた空のカセット金庫に収納させることにより、固定金庫の精査を行う。
【００１５】
すなわち、制御部は、Ｆスタッカ1a（Ｒスタッカ1b）から搬送路5a、鑑別器４を通し、判別された金種により各金種ごとの枚数をカウントし、装着されたＡカセット2a（またはＢカセット2b）に収容させる。（図１の▲５▼ルート）。通常固定金庫の収容量の方が大であるのでＡカセット2aとＢカセット2bの両方を使い、必要があればカセット金庫は複数個入れ替えて使うことになる。
【００１６】
以上の過程で発生した金種不明貨幣はリジェクトボックス３に収納する。
固定金庫の全ての貨幣をカセット金庫へ回収させたのち、出納における取引現金カウントと精査を完了したカウントとの照合を行う。
【００１７】
その後カセット金庫から固定金庫へ貨幣を移して運用に戻る。
【００１８】
【発明が解決しようとする課題】
上記のように、精査時に発生する金種不明貨幣はリジェクトボックス３に収納されるが、取引運用中に顧客が（入金や）出金の取引を行った時に発生する金種不明貨幣も同じリジェクトボックス３に収納されている。
【００１９】
従って、リジェクトボックス３内の貨幣は、合計の枚数はわかるが金種が不明であるので金種別の枚数は判らない。係員が手で数えて、精査時のリジェクト枚数と運用時のリジェクト枚数を出納の印字データより判断して割り出すという面倒な作業が必要になる。
【００２０】
ＡＴＭの精査業務は、ＡＴＭを稼働休止にしないとできないため、通常、顧客が使用しない業務時間外に行われ、短時間に終える必要がある。
精査時の金種不明貨幣の収納先と、通常の顧客運用時の金種不明貨幣の収納先を別に設けることが考えられるが、それだけ装置が大きくなる。
【００２１】
【課題を解決するための手段】
制御手段の指示に従って、搬送手段５から貨幣を受け取り、金種別に貨幣を収容し、貨幣を搬送手段５に送出する、固定金庫１と、
制御手段の指示に従って、搬送手段５から貨幣を受け取り、貨幣を収容し、貨幣を搬送手段５に送出する、取り外し可能なカセット金庫２と、
制御手段の指示に従って、搬送手段５から貨幣を受け取り収容するリジェクトボックス３と、
制御手段の指示に従って、貨幣が搬送されるときに、金種を鑑別する貨幣鑑別手段３と、
制御手段の指示に従って貨幣を前記の各部間を搬送する搬送手段５と、
貨幣の搬送を制御し、存在する貨幣の種類と数とを管理する制御手段と
を有する現金自動入出金装置であって、
制御手段は、
運用時に、貨幣を出金する場合またはカセット金庫から固定金庫へ補充する場合に、貨幣鑑別手段４により金種不明と鑑別されたときは、その貨幣をカセット金庫２に入れ、
精査時に、貨幣をカセット金庫２と固定金庫１の間で搬送する場合またはカセット金庫２からカセット金庫２へ搬送する場合に、貨幣鑑別手段４により金種不明と鑑別されたときは、その貨幣をリジェクトボックス３に入れるように制御するように構成する。
【００２２】
すなわち、本発明では、金種不明貨幣の収納先は、運用時はカセット金庫２、精査時はリジェクトボックス３とする。このようにすれば、運用時にカセット金庫２にある貨幣は補充時に再度繰り出される可能性が有る。そのとき、正常に金種判別されれば、各金種別固定金庫１に収納され、出金貨幣として利用できる。また、精査時には、正常な貨幣の有高が明確になる。
【００２３】
さらに、現金自動入出金装置に、ホスト装置との通信手段を設け、制御手段は、通信手段により精査の指示を受け、精査を行い、結果を通知するように構成する。
【００２４】
このように構成することにより、係員の手作業を極力省くことができ、すばやく運用に入ることができる。
【００２５】
【発明の実施の形態】
以下に、貨幣搬送の説明図（図２および図３）を参照して本発明の実施例を説明する。
【００２６】
本実施例は、基本的なハードウェア構成は従来装置と同じであるが制御方式が異なる。従来と異なる点は、運用時に出金するため固定金庫１から入出金口７へ搬送するときに金種不明となった貨幣は、カセット金庫（例えば、Ａカセット2a）に収容することである（図３の▲１▼’▲２▼’のルート参照）。このようにすれば、この貨幣は運用中の補充時（図２▲１▼のルート）に再度繰り出される可能性が有る。そのとき、正常に金種判別されれば、Ｆスタッカ1aまたはＲスタッカ1bの各金種別固定金庫に収納され、出金貨幣として利用できる。補充時に金種判別できなければ、再びカセット金庫（Ａカセット2a）に戻されるだけである。また、運用時に再び金種不明となっても再びカセット金庫（Ａカセット2a）に戻されるだけである。
【００２７】
これにより、運用中に発生する金種不明の貨幣は、もともと存在している金種別の枚数から加減算されずにカセット金庫に収納されるので、装置内の実在枚数との違いが生じない。これは、実質的に、運用中に発生する金種不明券は無いのと同じことになる。
【００２８】
ここで、ＡＴＭの精査を行いたい場合は、係員はＡＴＭの直接操作により、または遠隔監視装置からの操作で精査指示を行う。
ＡＴＭは以下のように精査を実行する。（図３参照）
先ず、従来と同様にしてカセット金庫2a,2b の中の貨幣の精査計数を行う（▲５▼のルート）。両方のカセット金庫の精査が完了したら、固定金庫1a,1b 毎の精査計数を行う。
【００２９】
▲４▼のルートでＦスタッカ1aの貨幣をカセット金庫に回収（Ａ／Ｂカセットのどちらに収納させても良い）しながら精査を行う。Ｆスタッカ1aの全ての貨幣がカセット金庫2a,2b に収納され、Ｆスタッカ1aの枚数が把握される。
【００３０】
次に、▲１▼のルートでカセット金庫からＦスタッカ1aへ貨幣を補充させて、Ｒスタッカ1bの精査ができるようにカセット金庫の空きを確保する。同様にしてＲスタッカ1bの全ての貨幣をカセット金庫2a,2b に収納させて、精査を完了する。ここで、固定金庫1a,1b 内の貨幣枚数が少ない場合は、全て片方のカセットに収納してもよい。
【００３１】
これで、ＡＴＭ内の正常な貨幣が全て計数されたことになる。
この精査時における金種不明券は、リジェクトボックス３に収納されている。係員は簡単に精査の完了によるＡＴＭの枚数データ（レシート等に印字しても良い）を見る事によりいままでＡＴＭで運用されていた貨幣のトータル枚数が把握できる。
【００３２】
つまり、出納よりＡＴＭに装填された合計枚数からわかる金額＋ホスト在高（入出金取引の加減算分）＝精査での金種別枚数からわかる金額＋リジェクトボックス内の金額となるので、係員は運用時に発生した金種不明券を計算しなくて良い。係員はリジェクトボックスに収納されている貨幣を確認するだけでよい。これで精査はＯＫとなり、そのまま運用を再開継続できる。ＡＴＭの固定金庫（Ｆスタッカ1a）にはすでに貨幣が補充されているし、Ｒスタッカ1bの貨幣が必要なら運用中の補充により処理できる。
【００３３】
なお、リジェクトボックス３もカセット構造にしておけば、係員はこのカセットを空のものと入れ替えて持ち帰るだけでよい。
すなわち係員は直接貨幣に触ることなく、カセット金庫も含め、カセットの入れ替え操作をするだけでよくなる。カセットの入れ替え操作も、精査ごとに毎回行う必要はない。
【００３４】
また、ホスト装置から、ＡＴＭに対して精査を指示することにより自動的に精査を開始することができる。また、ホスト装置からはＡＴＭ内の現金有高や傾向が把握できるので、カセットの入れ替え操作が必要（現金の補充または収容）と判断したら係員が出向けばよい。
【００３５】
【発明の効果】
以上説明したように、本発明によれば、運用中の金種不明券の発生を極力押さえることができ、実質的には０にすることができる。また、運用時の貨幣の増減があまり多くなければ、カセット金庫やリジェクトボックスの取り扱いを少なくすることができる。従って精査時に係員がＡＴＭに付き切りになる必要がないので、精査の指示をホスト装置から行う自動精査にすることが可能となる。
【図面の簡単な説明】
【図１】  現金自動入出金装置の構成概念図
【図２】  実施例の動作説明図（運用時）
【図３】  実施例の動作説明図（精査時）
【符号の説明】
１          固定金庫
1a，1b    （Ｆスタッカ、Ｒスタッカ）
２          カセット金庫
2a，2b    （Ａカセット、Ｂカセット）
３          リジェクトボックス
４          鑑別器
５          搬送手段
5a,5b     搬送路
６          入出金プール部
７          入出金口
【図１】
0003829000.tif 000002
【図２】
0003829000.tif 000003
【図３】
0003829000.tif 000004